(57)【要約】【課題】台形筒状が安定した折り曲げ緩衝材を提供する。【解決手段】天面部５と第１側面部４とが鋭角をなすとともに天面部５と第２側面部６とが鈍角をなして天面部５が傾斜した台形筒状の折り曲げ緩衝材１であり、天面部５と第１側面部４との間の折り曲げ線Ｌ２は、天面部５と第２側面部６との間の折り曲げ線Ｌ３よりも折り曲げ易く形成されている。【選択図】図８
2018140780.tif 000002
【特許請求の範囲】
【請求項１】
１枚の段ボールを折り曲げて組み立てられ、底面部、第１側面部、天面部及び第２側面部が折り曲げ線を介して連続し、かつ上記天面部と上記第１側面部とが鋭角をなすとともに上記天面部と上記第２側面部とが鈍角をなして天面部が傾斜した台形筒状の折り曲げ緩衝材であって、
上記天面部と上記第１側面部との間の折り曲げ線は、上記天面部と上記第２側面部との間の折り曲げ線よりも折り曲げ易く形成されている、折り曲げ緩衝材。
【請求項２】
請求項１に記載の折り曲げ緩衝材において、
一対の上記折り曲げ緩衝材が上記第２側面部を向かい合わせに間隔を開けて包装容器内に収容され、上記一対の折り曲げ緩衝材間に被梱包物を挿入して該被梱包物を外部衝撃から保護する、折り曲げ緩衝材。
【請求項３】
請求項１又は請求項２に記載の折り曲げ緩衝材において、
上記第２側面部と上記底面部との間の折り曲げ線は、上記天面部と上記第２側面部との間の折り曲げ線よりも折り曲げ易く形成されている、折り曲げ緩衝材。
【発明の詳細な説明】
【技術分野】
【０００１】
本発明は、１枚の段ボールを折り曲げて組み立てられ、底面部、第１側面部、天面部及び第２側面部が折り曲げ線を介して連続し、かつ天面部と第１側面部とが鋭角をなすとともに天面部と第２側面部とが鈍角をなして天面部が傾斜した台形筒状の折り曲げ緩衝材に関する。
【背景技術】
【０００２】
特許文献１では、被梱包物を包装容器に梱包する際に、被梱包物が包装容器内でがたつかないように１枚の段ボールを折り曲げて組み立てられた折り曲げ緩衝材を包装容器内に収容して被梱包物の梱包状態を安定させている。
【先行技術文献】
【特許文献】
【０００３】
【特許文献１】特開２００９−８３８６９号公報
【発明の概要】
【発明が解決しようとする課題】
【０００４】
ところで、被梱包物の形状や外部要因等により、折り曲げ緩衝材をコーナー部が直角な正方形や長方形の筒状に形成できず、図１０に示すように、天面部が傾斜した台形筒状を採用せざるを得ない場合がある。
【０００５】
この場合、対向する側面部と天面部との間では、折り曲げ線を起点として直角に戻ろうとする反発力が作用する。つまり、一方の側面部と天面部とが鋭角をなす折り曲げ線側では、側面部と天面部とは互いに広がる方向に反発力が作用する。一方、他方の側面部と天面部とが鈍角をなす折り曲げ線側では、側面部と天面部とは互いに狭まる方向に反発力が作用する。その結果、図１１に示すように、両側面部が左側に傾いて折り曲げ緩衝材が変形してしまい、図１０に示すような正規の台形筒状に安定させることができない。
【０００６】
なお、図１０及び図１１で用いた符号は、実施形態と同じである。
【０００７】
本発明はかかる点に鑑みてなされたものであり、その目的とするところは、台形筒状が安定した折り曲げ緩衝材を提供することである。
【課題を解決するための手段】
【０００８】
本発明に係る梱包用緩衝材は、１枚の段ボールを折り曲げて組み立てられ、底面部、第１側面部、天面部及び第２側面部が折り曲げ線を介して連続し、かつ上記天面部と上記第１側面部とが鋭角をなすとともに上記天面部と上記第２側面部とが鈍角をなして天面部が傾斜した台形筒状である。
【０００９】
さらに、上記天面部と上記第１側面部との間の折り曲げ線は、上記天面部と上記第２側面部との間の折り曲げ線よりも折り曲げ易く形成されている。
【発明の効果】
【００１０】
本発明によれば、天面部には、第１側面部との間の折り曲げ線を起点する反発力と、第２側面部との間の折り曲げ線を起点する反発力とが作用するが、両者の反発力のバランスにより台形筒状が安定した折り曲げ緩衝材を得ることができる。
【図面の簡単な説明】
【００１１】
【図１】図１は、本発明の実施形態に係る折り曲げ緩衝材を用いて被梱包物を包装容器に梱包した状態を上方から見た図である。
【図２】図２は、図１において端部を拡大した斜視図である。
【図３】図３は、被梱包物の斜視図である。
【図４】図４は、本発明の実施形態に係る折り曲げ緩衝材が一対連続した展開図である。
【図５】図５は、本発明の実施形態に係る折り曲げ緩衝材が一対組み立てられた斜視図である。
【図６】図６は、図５の折り曲げ緩衝材を一端側から見た斜視図である。
【図７】図７は、図５の折り曲げ緩衝材を包装容器に収容した状態を上方から見た図である。
【図８】図８は、本発明の実施形態に係る折り曲げ緩衝材において天面部と第１側面部との間の折り曲げ線を説明する図である。
【図９】図９は、本発明の実施形態に係る折り曲げ緩衝材において天面部と第２側面部との間の折り曲げ線を説明する図である。
【図１０】図１０は、正規の台形筒状を保持した折り曲げ緩衝材の端面図である。
【図１１】図１１は、従来例において折り曲げ緩衝材が変形した状態を説明する端面図である。
【図１２】図１２は、従来例において包装容器に収容した折り曲げ緩衝材が変形した状態を示す図７相当図である。
【発明を実施するための形態】
【００１２】
以下、本発明の実施形態を図面に基づいて詳細に説明する。なお、本発明は、以下の実施形態に限定されるものではない。
【００１３】
図１は、本発明の実施形態に係る折り曲げ緩衝材１を用いて被梱包物２を包装容器３に梱包した状態を上方から見た図である。図２は、図１において端部を拡大した斜視図である。図１及び図２では、被梱包物２を梱包する際に一対の折り曲げ緩衝材１が間隔Ｃ１を開けて向かい合わせに包装容器３内に収容され、一対の折り曲げ緩衝材１間に被梱包物２を挿入して被梱包物２を外部衝撃から保護している。被梱包物２は、図３に示すようなレール状部材等であり、被梱包物本体２ａの一端に起立板２ｂが設けられているが、これに限定されない。
【００１４】
包装容器３及び折り曲げ緩衝材１は共に、例えば、紙段ボールや、ポリプロピレン製のプラスチック段ボール（プラ段）からなる１枚の段ボールを折り曲げて組み立てられている。
【００１５】
図４は、本発明の実施形態に係る折り曲げ緩衝材１が上下に一対連続した展開図である。
【００１６】
折り曲げ緩衝材１は、底面部、第１側面部４、天面部５及び第２側面部６が折り曲げ線を介して連続している。底面部は、２重構造であり、一対の折り曲げ緩衝材１の底面部を共有し第１側面部４に連続する下側底面部７と、第２側面部６に連続して下側底面部７の上に重なる上側底面部８とからなる（図８及び図９参照）。なお、図８及び図９では、便宜上、単一の折り曲げ緩衝材１を示している。
【００１７】
下側底面部７には、差し込み係合片９が図４で右端寄りと、中央部と、左端とに２つずつ形成されている。第２側面部６には、差し込み係合孔１０が差し込み係合片９に対応して形成されている。
【００１８】
下側底面部７と第１側面部４との間の折り曲げ線Ｌ１上には、差し込み孔１１が形成されている。上側底面部８には、差し込み片１２が差し込み孔１１に対応して形成されている。
【００１９】
第１側面部４と天面部５との間にも折り曲げ線Ｌ２が形成されている。
【００２０】
天面部５と第２側面部６との間の折り曲げ線Ｌ３上には、包装容器３に収納した状態において先端部が包装容器３の内面に当接して天面部５の移動を規制する当接片１３が間隔をあけて２つ形成されている。当接片１３は、折り曲げ緩衝材１を包装容器３に対して出し入れする際に把持する把持部としても使用できる。
【００２１】
第２側面部６と上側底面部８との間にも折り曲げ線Ｌ４が形成されている。
【００２２】
一方（図４で上側）の折り曲げ緩衝材１の天面部５中程には、三角形の開口部１４が形成されている。この開口部１４は折り曲げ緩衝材１の配置方向を確認するための方向指示マークである。
【００２３】
折り曲げ緩衝材１を組み立てるには、第１側面部４、天面部５、第２側面部６及び上側底面部８を折り曲げ線Ｌ１〜Ｌ４に沿ってそれぞれ折り曲げ、差し込み係合片９を差し込み係合孔１０に差し込んで係合させるとともに, 差し込み片１２を差し込み孔１１に差し込む。これにより、図５及び図６に示すように、天面部５と第１側面部４とが鋭角をなすとともに天面部５と第２側面部６とが鈍角をなして天面部５が傾斜した台形筒状に形成された一対の折り曲げ緩衝材１が、間隔Ｃ１を開けて第２側面部６を向かい合わせに組み立てられる。
【００２４】
このように、天面部５を傾斜させているのは、被梱包物２の形状に起因する。すなわち、包装容器３内の一対の折り曲げ緩衝材１間に被梱包物２を収容した際、図２に示すように、天面部５と第２側面部６とのコーナー部を被梱包物２の起立板２ｂに内方から確実に当接させるためである。このようにすることで、包装容器３を立てた状態で内部の被梱包物２が動いても、被梱包物２の起立板２ｂを天面部５と第２側面部６と、そのコーナー部で受けて被梱包物２の荷重を支えることができる。
【００２５】
天面部５と第１側面部４との間の折り曲げ線Ｌ２は、天面部５と第２側面部６との間の折り曲げ線Ｌ３よりも折り曲げ易く形成されている。具体的には、天面部５と第１側面部４との間の折り曲げ線Ｌ２は、図８に示すように、切り込み線１６と罫線１７とが交互に形成されてなる。一方、天面部５と第２側面部６との間の折り曲げ線Ｌ３は、図９に示すように、罫線１７が間欠的に形成されてなり、切り込み線１６はない。ここで、罫線１７とは、段ボールを圧潰してできる凹みからなる折れ筋のことである。なお、図４、図８及び図９で一点鎖線の丸で囲ったＡ部、Ｂ部、Ｃ部は、それぞれ共通の折り曲げ線を示す。
【００２６】
なお、図示しないが、天面部５と第１側面部４との間の折り曲げ線Ｌ２を、天面部５と第２側面部６との間の折り曲げ線Ｌ３よりも深い罫線で構成し、折り曲げ線Ｌ２を折り曲げ線Ｌ３よりも折り曲げ易くしてもよい。つまり、同じ罫線であっても深さの異なる罫線を用いる。
【００２７】
このように組み立てられた一対の折り曲げ緩衝材１は、図７に示すように、第２側面部６を向かい合わせに間隔Ｃ１を開けて包装容器３内に収容され、被梱包物は、図１に示すように、一対の折り曲げ緩衝材１間に挿入されて外部衝撃から保護される。
【００２８】
ところで、台形筒状の折り曲げ緩衝材１においては、対向する第１側面部４と天面部５との間や、第２側面部６と天面部５との間では、折り曲げ線Ｌ２，Ｌ３を起点として直角に戻ろうとする反発力が作用する。つまり、第１側面部４と天面部５とが鋭角をなす折り曲げ線Ｌ２側では、第１側面部４と天面部５とは互いに広がる方向に反発力が作用する。一方、第２側面部６と天面部５とが鈍角をなす折り曲げ線Ｌ３側では、第２側面部６と天面部５とは互いに狭まる方向に反発力が作用する。その結果、各折り曲げ線Ｌ２，Ｌ３の折り曲げ強度が等しくて折り曲げ強度について何ら考慮されていない場合には、図１１に示すように、第１側面部４及び第２側面部６が左側に傾いて折り曲げ緩衝材１が変形してしまい、図１０に示すような正規の台形筒状に安定させることができない。
【００２９】
また、図１２に示すように、一対の折り曲げ緩衝材１が第２側面部６を向かい合わせに間隔Ｃ２を開けて包装容器３内に収容されている場合、一対の折り曲げ緩衝材１の第２側面部６が互いに接近する方向に前のめりに傾斜して両者の間隔Ｃ２が狭まってしまい、一対の折り曲げ緩衝材１間に被梱包物２を挿入し難くなる。
【００３０】
これに対し、本実施形態では、天面部５と第１側面部４との間の折り曲げ線Ｌ２を、天面部５と第２側面部６との間の折り曲げ線Ｌ３よりも折り曲げ易く形成しているので、天面部５と第１側面部４との間の折り曲げ線Ｌ２を起点する反発力と、天面部５と第２側面部６との間の折り曲げ線Ｌ３を起点する反発力とのバランスにより折り曲げ緩衝材１の台形筒状を安定させることができる（図１０参照）。
【００３１】
したがって、一対の折り曲げ緩衝材１が第２側面部６を向かい合わせに間隔Ｃ１を開けて包装容器３内に収容されている場合でも、一対の折り曲げ緩衝材１の第２側面部６が前のめりに互いに接近せず両者の間隔Ｃ１が狭まらない（図７参照）。これにより、一対の折り曲げ緩衝材１間に被梱包物２を挿入し易くなる。
【００３２】
また、第２側面部６と上側底面部８との間の折り曲げ線Ｌ４は、天面部５と第２側面部６との間の折り曲げ線Ｌ３よりも折り曲げ易く形成されているので、天面部５と第１側面部４との間の折り曲げ線Ｌ２を起点とする反発力の影響により、第２側面部６は上側底面部８との間の折り曲げ線Ｌ４を起点に一対の折り曲げ緩衝材１間の間隔Ｃ１が広がる方向に引っ張られ、一対の折り曲げ緩衝材１間への被梱包物２の挿入操作が確実に行われる
【産業上の利用可能性】
【００３３】
以上説明したように、本発明は、１枚のシートを折り曲げて組み立てられ、底面部、第１側面部、天面部及び第２側面部が折り曲げ線を介して連続し、かつ上記天面部と上記第１側面部とが鋭角をなすとともに上記天面部と上記第２側面部とが鈍角をなして天面部が傾斜した台形筒状の折り曲げ緩衝材について有用である。
【符号の説明】
【００３４】
１    折り曲げ緩衝材
２    被梱包物
３    包装容器
４    第１側面部
５    天面部
６    第２側面部
７    下側底面部
８    上側底面部
Ｌ２  天面部と第１側面部との間の折り曲げ線
Ｌ３  天面部と第２側面部との間の折り曲げ線
Ｌ４  第２側面部と上側底面部との間の折り曲げ線
【図１】
2018140780.tif 000003
【図２】
2018140780.tif 000004
【図３】
2018140780.tif 000005
【図４】
2018140780.tif 000006
【図５】
2018140780.tif 000007
【図６】
2018140780.tif 000008
【図７】
2018140780.tif 000009
【図８】
2018140780.tif 000010
【図９】
2018140780.tif 000011
【図１０】
2018140780.tif 000012
【図１１】
2018140780.tif 000013
【図１２】
2018140780.tif 000014